(57)【要約】【課題】  従来はちょっとしたメモや、何度もチェックするため、もしくはよく確認する名刺などを一時的にでもパソコン周辺に保管する際、粘着テープなどでパソコン・ディスプレィに貼り付けるなどの方法しかなかった。パソコンを使用するデスク廻りでの仕事、店舗などのレジスター廻り、および家庭においてちょっとしたメモを納めるなど、小型紙資料、メモ、および名刺などのカード類を簡潔に保管する方法を検討しなければならなかった。【解決手段】中心軸に対してコイル・スプリング本体を傾斜に巻回形式にしたので、スペースに応じてそれぞれの小型紙資料、メモ、および名刺などのカード類をコイル・スプリング部に挟み込むことによって、安易にホールドできるものとなった。【選択図】図１
2014037128.tif 000002
【特許請求の範囲】
【請求項１】
中心軸に対して傾斜して巻回形成されたコイル・スプリングを備えた挟式ホルダー。
【発明の詳細な説明】
【技術分野】
【０００１】  本発明は、主に小型紙資料、メモ、および名刺などのカード類を挟む巻回コイル・スプリングを使用した挟式ホルダーである。
【背景技術】
【０００２】  従来はちょっとしたメモや、何度もチェックする、もしくはよく確認する名刺などを一時的にでも日常的な作業上保管する際、例えば見た目もあまり効率的でもない市販の粘着テープなどでパソコン・ディスプレィに貼り付けるなどの方法しかなかった。また剥離可能型糊付メモであるポストイット（登録商漂）なども、一時的には良くても簡単に剥がれてしまい、紛失してしまうこともあった。【０００３】  また、コイル・スプリングを環状に丸めてメモ用紙を挟むもの（特許文献１参照）や、ペーパースタンドとして単純にコイル・スプリングを机上に置いて紙類を挟むホルダーもある（特許文献２参照）。
【先行技術文献】
【特許文献】
【０００４】
【特許文献１】特開２００２−２３８７２１号  広報
【０００５】
【特許文献２】登録実用新案  第３０５４３４３号  広報
【発明が解決しようとする課題】
【０００６】  主にパソコン使用時の周辺機器としてのディスプレィや、レジスター付近等に簡易的に小型紙資料、メモ、および名刺などのカード類を収納・保管するための方法として、如何に至便性に富んでいて、整理しやすくなるかを考案した場合、上述の文献類にあるようなホルダーは、同じように一時保存は出来るが、特許文献１は枚数に限界があり、特許文献１と共通するのは置き場所のスペースに配慮しなければならなかった。
そしてパソコン・ディスプレィにテープなどにメモを貼る作業は、粘着テープ跡が残ったり、見た目もあまりよくなく、またたくさん重ねると分かりづらくなってしまっていた。
【０００７】  会社のオフィスなど、比較的デスクワークの多い場所での小型紙資料、メモ、および名刺などのカード類の保管だけでなく、ショップのレジスター廻りや、家庭での小型紙資料、メモ、および名刺などのカード類の保管に関しても同様の問題がある。
【０００８】  本発明は、上述の課題における問題点をクリアする、多くの用途に対応できうるものである。
【課題を解決するための手段】
【０００９】  上述目的を達成するため、本発明における傾斜式巻回コイル・スプリングを使用したホルダーは、軸に対してコイル・スプリングを傾斜に巻回形式にしたので、スペースに応じてそれぞれの小型紙資料、メモ、および名刺などのカード類をコイル・スプリング部に挟み込むことによって、安易にホールドできるものとなる。
【００１０】  また本発明は、軸に対し斜めに形成しているので、一定の方向がから小型紙資料、メモ、および名刺などのカード類の情報を確認する際、正面からみてもその内容が確認しやすい角度になっている点に新規性がある。
【発明の効果】
【００１１】  本発明によって、今までちょっとした保管として剥離式糊付メモ、もしくは粘着テープを使用して貼付等をすることで保存していた小型紙資料、メモ、および名刺などのカード類などを、本発明である傾斜したコイル・スプリングに挟み込むことによって、場所を選ばず、非常に簡単に一時保存、もしくは近々に再確認する情報などとして簡単に保管できるようになる。
【図面の簡単な説明】
【００１２】
【図１】本発明の正面図である。
【図２】本発明の側面図である。
【図３】本発明の背面図である。
【図４】本発明の上面図である。
【図５】本発明の下面図である。
【符号の説明】
【００１３】１  コイル・スプリング本体
２  ベース部
３  保持部
４  結合部
５  用紙
６  アーム部
【発明を実施するための最良の形態】
【００１４】  本発明の一実施例を、図面を参照して詳細に説明する。なお、同一部分には同一符号を表している。符号１の部分が本発明の挟式ホルダーの主となるコイルの中心軸に対して傾斜したコイル・スプリング本体である。このコイル・スプリング本体は、弾性をなすコイルを複数巻回したもので、上述したように、巻回されたコイルの中心軸（図示しない）に対して図１の下方に傾斜して設けられていて、巻回されたコイルのこの間にわずかな隙間が形成されている。そしてこの隙間に小型紙資料、メモ、および名刺などのカード類を挟むものとする。
コイル・スプリング部の素材に関しては、主にアルミに塩化ビニール系の素材をコーティングしたものが好ましいが、間に挟む紙類が摩擦によって固定されやすくなるシリコン系の素材や、それと同様の樹脂素材でも可能である。要するに、傾斜されたスプリング部に小型紙資料、メモ、および名刺などのカード類を挟み込む上で、上述の用途に相応しい素材を対象とする。
図中の２は、ベース部で、コイル・スプリング本体の外側に設けられていて、図中の３は、保持部で、コイル・スプリング本体の内側に設けられている。６，６はベース部との上下端部からコイル・スプリング本体１に向かって延びたアーム部で、４，４は保持部３の上下端部固定された結合部であり、アーム部６，６と、結合部４，４で、ベース部２と、保持部３とを各上下端部で連結していると共に、傾斜しているコイル・スプリング部１の形状を保持させている。
ここに明記している図中の３、４、６に関しては、コイル・スプリング本体の大きさならびに太さにより、デザインによって大きく左右され、設置場所によってはなくなる可能性もある。
なお、ベース部には、本発明の挟式ホルダーを机上に設置しようする際は土台となるものであり、また、ベース部２の図２で示す右側面に両面テープを貼付すれば、パソコンのディスプレィ、冷蔵庫、レジスター廻り等に貼付すれば縦型の挟式ホルダーとして使用することが出来る。【００１５】  本発明における挟式ホルダーの図２において符号ａで示す傾斜角度は、通常のコイル・スプリングの角度を０度と想定した場合、２０度から８０度、通常は３０度から６０度以内の角度の傾斜を有し、ベストは４５度とする。その理由は図１の正面から見た場合、挟持されている図中の５である用紙がもっとも良く見え、しかも互いの用紙が干渉しあわない角度であるといえる。【００１６】  本発明によるコイル・スプリング本体１の直径は、２ｃｍ前後から、少々広めのスペースがあるのであれば、挟む資料の大きさが大きければ、そのサイズに適した大きさまで展開可能である。机上、パソコン・ディスプレィなどに適応させるものに関しては、名刺サイズの紙を挟んでも、宛名などの情報が見える上述の２ｃｍ前後が好ましい。【００１７】  本発明におけるコイル・スプリング本体１のコイルの隙間は、名刺ほどの紙類が容易に挟め、抜け落ちない程度の幅を要するものとする。【００１８】  本発明におけるコイル・スプリング本体１の長さは、使用する場所によって便利な長さがあるものの、基本的には約１５ｃｍから２５ｃｍ程度が望ましい。コイルの直径と同じように、場所や用途に基づいて適切な大きさがある。
【図１】
2014037128.tif 000003
【図２】
2014037128.tif 000004
【図３】
2014037128.tif 000005
【図４】
2014037128.tif 000006
【図５】
2014037128.tif 000007